(57)【要約】      （修正有）【課題】観賞植物の寿命を延ばし、活力を向上させる方法を提供する。【解決手段】第１の形態においては、１種以上のシクロプロペン化合物の全ての合計濃度が液体組成物１リットルあたりシクロプロペン化合物０．３〜３００ミリグラムである、１種以上のシクロプロペン化合物を含む液体組成物と、観賞植物とを接触させることを含む観賞植物を処理する。【選択図】なし【特許請求の範囲】
【請求項１】
１種以上のシクロプロペン化合物を含む液体組成物と観賞植物とを接触させることを含み、前記１種以上のシクロプロペン化合物の全ての合計濃度が前記液体組成物１リットルあたりシクロプロペン化合物０．３〜３００ミリグラムである、観賞植物を処理する方法。
【請求項２】
観賞植物が開花中の顕花植物を含む、請求項１に記載の方法。
【請求項３】
液体組成物が水性組成物である、請求項１に記載の方法。
【請求項４】
植物が植木鉢内にある、請求項１に記載の方法。
【請求項５】
液体組成物が１種以上のキレート剤をさらに含む、請求項１に記載の方法。
【請求項６】
シクロプロペン化合物のいくつかまたは全部が分子封入剤によって封入されている、請求項１に記載の方法。
【請求項７】
前記１種以上のシクロプロペン化合物の全ての合計濃度が前記液体組成物１リットルあたりシクロプロペン化合物５〜５０ミリグラムである、請求項１に記載の方法。
【発明の詳細な説明】
【技術分野】
【０００１】
本発明は観賞植物の処理に関する。
【背景技術】
【０００２】
多くの場合、観賞植物の寿命を延ばすことが望まれる。多くの場合、観賞植物の全般的な活力を向上させることも望まれる。
【０００３】
米国特許出願公開第２００５／０２６１１３２号は、植物または植物の部分を、シクロプロペンおよび金属錯化剤を含む組成物と接触させることを記載する。米国特許出願公開第２００５／０２６１１３２号は、観賞植物の寿命を延ばすであろう方法において観賞植物をどのように処理するかの課題に取り組んでいない。
【先行技術文献】
【特許文献】
【０００４】
【特許文献１】米国特許出願公開第２００５／０２６１１３２号明細書
【発明の概要】
【発明が解決しようとする課題】
【０００５】
本発明の１つの目的は、観賞植物を処理して、例えば、以下の１以上：外観の劣化、花の器官脱離の開始、つぼみの器官脱離の開始、花のしおれの開始、つぼみのしおれの開始、またはこれらの組み合わせを遅らせることにより、観賞植物の寿命を延ばす方法を提供することである。本発明の別の目的は、観賞植物を処理して、その全体的活力を向上させる方法を提供する。
【課題を解決するための手段】
【０００６】
本発明の第１の形態においては、１種以上のシクロプロペン化合物を含む液体組成物と観賞植物とを接触させることを含み、前記１種以上のシクロプロペン化合物の全ての合計濃度が前記液体組成物１リットルあたりシクロプロペン化合物０．３〜３００ミリグラムである、観賞植物を処理する方法が提供される。
【発明を実施するための形態】
【０００７】
本発明は、１種以上のシクロプロペン化合物の使用を伴う。本明細書において使用される場合、シクロプロペン化合物は、式：
【化１】
2011045363.tif 000002
（式中、各Ｒ１、Ｒ２、Ｒ３およびＲ４は独立して、Ｈおよび式：
−（Ｌ）ｎ−Ｚ
の化学基からなる群から選択され；ｎは０〜１２の整数である）
を有するあらゆる化合物である。各Ｌは２価の基である。好適なＬ基には、例えば、Ｈ、Ｂ、Ｃ、Ｎ、Ｏ、Ｐ、Ｓ、Ｓｉまたはこれらの混合から選択される１種以上の原子を含む基が挙げられる。Ｌ基内の原子は互いに、単結合、二重結合、三重結合またはこれらの混合によって連結されうる。各Ｌ基は線状、分岐、環式、またはこれらの組み合わせであることができる。いずれか１つのＲ基（すなわち、Ｒ１、Ｒ２、Ｒ３およびＲ４のいずれか１つ）においては、ヘテロ原子（すなわち、ＨでもＣでもない原子）の総数は０〜６である。
独立して、いずれか１つのＲ基においては、非水素原子の総数が５０以下である。
【０００８】
各Ｚは１価の基である。各Ｚは独立に、水素、ハロ、シアノ、ニトロ、ニトロソ、アジド、クロラート（ｃｈｌｏｒａｔｅ）、ブロマート（ｂｒｏｍａｔｅ）、ヨーダート（ｉｏｄａｔｅ）、イソシアナト、イソシアニド、イソチオシアナト、ペンタフルオロチオおよび化学基Ｇ（ただし、Ｇは３〜１４員環系である）からなる群から選択される。
【０００９】
化学基Ｇとして好適な環系は置換されていても良く、または非置換であっても良く；これらは芳香族（例えば、フェニルおよびナフチルなど）または脂肪族（不飽和脂肪族、部分飽和脂肪族もしくは飽和脂肪族など）であることができ；かつこれらは炭素環式または複素環式であることができる。
【００１０】
Ｒ１、Ｒ２、Ｒ３およびＲ４基は、独立に、好適な基から選択される。Ｒ１、Ｒ２、Ｒ３およびＲ４基は、互いに同じであってもよく、またはそれらの任意の数のものが他のものと異なっていてもよい。Ｒ１、Ｒ２、Ｒ３およびＲ４の１以上として使用するのに好適な基は、シクロプロペン環に直接結合されていてもよいし、または介在する基、例えば、ヘテロ原子含有基などを介してシクロプロペン環に結合されていてもよい。
【００１１】
本明細書において使用される場合、着目した化学基の１以上の水素原子が置換基によって置き換えられている場合に、着目した化学基が「置換」されていると称される。好適な置換基には、例えば、アルキル、アルケニル、アセチルアミノ、アルコキシ、アルコキシアルコキシ、アルコキシカルボニル、アルコキシイミノ、カルボキシ、ハロ、ハロアルコキシ、ヒドロキシ、アルキルスルホニル、アルキルチオ、トリアルキルシリル、ジアルキルアミノ、およびこれらの組み合わせが挙げられる。存在する場合には、単独でまたは他の好適な置換基と組み合わせて存在することができる追加の好適な置換基は
−（Ｌ）ｍ−Ｚ
（式中、ｍは０〜８であり、ＬおよびＺは本明細書において上に定義されている）である。着目した１つの化学基上に２以上の置換基が存在する場合には、各置換基は異なる水素原子と置き換わることができるか、または１つの置換基が別の置換基に結合し、この別の置換基が、着目した化学基に結合することができ、またはこれらの組み合わせであってよい。
【００１２】
好適なＲ１、Ｒ２、Ｒ３およびＲ４基には、例えば、下記の基のいずれかの置換体または非置換体が挙げられる：脂肪族、脂肪族−オキシ、アルキルカルボニル、アルキルホスホナト、アルキルホスファト、アルキルアミノ、アルキルスルホニル、アルキルカルボキシル、アルキルアミノスルホニル、シクロアルキルスルホニル、シクロアルキルアミノ、ヘテロサイクリル（すなわち、少なくとも１つのヘテロ原子を環内に有する芳香族もしくは非芳香族環式基）、アリール、水素、フルオロ、クロロ、ブロモ、ヨード、シアノ、ニトロ、ニトロソ、アジド、クロラト、ブロマト、ヨーダト、イソシアナト、イソシアニド、イソチオシアナト、ペンタフルオロチオ、アセトキシ、カルボエトキシ、シアナト、ニトラト、ニトリト、ペルクロラト、アレニル；ブチルメルカプト、ジエチルホスホナト、ジメチルフェニルシリル、イソキノリル、メルカプト、ナフチル、フェノキシ、フェニル、ピペリジノ、ピリジル、キノリル、トリエチルシリル、およびトリメチルシリル。
【００１３】
好適なＲ１、Ｒ２、Ｒ３およびＲ４基には、１以上のイオン化可能な置換基を含むものが挙げられる。このようなイオン化可能な基は非イオン化形態または塩形態であることができる。
【００１４】
Ｒ３およびＲ４が一緒になって、二重結合によってシクロプロペン環の第３番炭素原子に結合されている単一の基になっている実施形態も意図される。このような化合物のいくつかは米国特許出願公開第２００５／０２８８１８９号に記載されている。
【００１５】
ある実施形態においては、Ｒ１、Ｒ２、Ｒ３およびＲ４の１以上が水素である１種以上のシクロプロペンが使用される。ある実施形態においては、Ｒ１、Ｒ２、Ｒ３およびＲ４のそれぞれが水素またはメチルである。ある実施形態においては、Ｒ１が（Ｃ１−Ｃ４）アルキルであり、Ｒ２、Ｒ３およびＲ４のそれぞれが水素である。ある実施形態に置いては、Ｒ１がメチルであり、Ｒ２、Ｒ３およびＲ４のそれぞれが水素であり、このシクロプロペン化合物は、本明細書において「１−ＭＣＰ」と称される。
【００１６】
ある実施形態においては、１気圧で５０℃以下；または２５℃以下；または１５℃以下の沸点を有するシクロプロペン化合物が使用される。独立に、ある実施形態においては、１気圧で−１００℃以上；−５０℃以上；または−２５℃以上；または０℃以上の沸点を有するシクロプロペン化合物が使用される。
【００１７】
本発明の実施は、１種以上のシクロプロペン化合物を含む組成物（本明細書において、「ＣＰ組成物」と称される）を伴う。ある実施形態においては、ＣＰ組成物は１種以上の分子封入剤（ｍｏｌｅｃｕｌａｒ  ｅｎｃａｐｓｕｌａｔｉｎｇ  ａｇｅｎｔ）を含む。好適な分子封入剤には、例えば、有機および無機分子封入剤が挙げられる。好適な有機分子封入剤には、例えば、置換シクロデキストリン、非置換シクロデキストリン、およびクラウンエーテルが挙げられる。好適な無機分子封入剤には、例えば、ゼオライトが挙げられる。好適な分子封入剤の混合物も好適である。本発明のある実施形態においては、封入剤は、アルファ−シクロデキストリン、ベータ−シクロデキストリン、ガンマ−シクロデキストリン、またはこれらの混合物である。本発明のある実施形態においては、特に、シクロプロペン化合物が１−メチルシクロプロペンの場合には、封入剤はアルファ−シクロデキストリンである。好ましい封入剤は、使用されるシクロプロペン化合物（単一種または複数種）の構造に応じて変化するであろう。シクロデキストリン、またはシクロデキストリンの混合物、シクロデキストリンポリマー、修飾シクロデキストリン、またはその混合物も本発明に従って使用されうる。いくつかのシクロデキストリンは、例えば、ミシガン州エイドリアンのＷａｃｋｅｒ  Ｂｉｏｃｈｅｍ  Ｉｎｃ．および他の供給者から入手可能である。
【００１８】
ある実施形態においては、少なくとも１種の分子封入剤が１種以上のシクロプロペンを封入する。分子封入剤の分子中に封入されたシクロプロペン化合物または置換シクロプロペン化合物分子は、本明細書において「シクロプロペン化合物分子封入剤複合体」と称される。シクロプロペン化合物分子封入剤複合体は任意の手段によって製造されうる。製造の一方法においては、例えば、米国特許第６，０１７，８４９号に開示される方法を用いて、シクロプロペン化合物を分子封入剤の溶液またはスラリーと接触させ、次いで、複合体を単離することによって、このような複合体は製造される。
【００１９】
本発明は理論によって限定されないが、ＣＰ組成物が水性であり、分子封入剤がシクロプロペン化合物を封入する実施形態の少なくともいくつかにおいては、その封入複合体が疎水性相互作用によって安定化されることが考えられる。すなわち、このような実施形態においては、特定のシクロプロペン化合物が相対的に非極性でありかつ水にほとんど溶けず、一方、分子封入剤は相対的に非極性の内部空洞および相対的に親水性の外側を有する分子である。このような実施形態においては、シクロプロペン化合物は、分子封入剤の内部空洞にエネルギー的に有利な環境を見つけると考えられる。
【００２０】
存在する場合には、分子封入剤の量は、シクロプロペン化合物のモル数に対する分子封入剤のモル数の比率によって有用に特徴づけられうる（すなわち、分子封入剤のモル数をシクロプロペン化合物のモル数で割った場合に得られる結果の数）。ある実施形態においては、シクロプロペン化合物のモル数に対する分子封入剤のモル数の比率は０．１以上；または０．２以上；または０．５以上；または０．９以上である。独立して、このような実施形態のいくつかにおいては、シクロプロペン化合物のモル数に対する分子封入剤のモル数の比率は２以下；または１．５以下である。ある実施形態においては、シクロプロペン化合物のモル数に対する分子封入剤のモル数の比率は０．９〜１．５である。
【００２１】
ある実施形態においては、ＣＰ組成物は１種以上のキレート剤を含む。キレート剤は、それぞれが金属原子と配位結合を形成できる原子または基を少なくとも２つ有する化合物であり、キレート剤の１分子は１つの金属原子と２以上の配位結合を形成することができる。
【００２２】
１種以上のキレート剤が使用される実施形態においては、好適なキレート剤には、例えば、有機キレート剤および無機キレート剤が挙げられる。ある実施形態においては、例えば、ピロリン酸四ナトリウム、トリポリリン酸ナトリウム、ヘキサメタリン酸のようなリン酸塩であるキレート剤が使用される。ある実施形態においては、アミノカルボン酸、１，３−ジケトン、ヒドロキシカルボン酸、ポリアミン、アミノアルコール、芳香族複素環式塩基、フェノール、アミノフェノール、オキシム、シッフ塩基、硫黄化合物、またはこれらの混合物から選択されるキレート剤が使用される。ある実施形態においては、１種以上のアミノカルボン酸、１種以上のヒドロキシカルボン酸、１種以上のオキシム、またはそれらの混合物から選択されるキレート剤が使用される。ある実施形態においては、エチレンジアミン四酢酸（ＥＤＴＡ）、ヒドロキシエチルエチレンジアミン三酢酸（ＨＥＤＴＡ）、ニトリロ三酢酸（ＮＴＡ）、Ｎ−ジヒドロキシエチルグリシン（２−ＨｘＧ）、エチレンビス（ヒドロキシフェニルグリシン）（ＥＨＰＧ）、またはこれらの混合物を含むキレート剤が使用される。ある実施形態においては、酒石酸、クエン酸、グルコン酸、５−スルホサリチル酸、またはこれらの混合物を含むキレート剤が使用される。ある実施形態においては、ジメチルグリオキシム、サリチルアルドキシム、またはこれらの混合物を含むキレート剤が使用される。ある実施形態においては、ＥＤＴＡが使用される。
【００２３】
酸であるキレート剤が使用される実施形態においては、その酸は中性形態で、もしくは塩の形態で、またはこの組み合わせで存在しうる。塩は、例えば、ナトリウム、カリウム、マグネシウム、カルシウムまたはこれらの混合物をはじめとする任意の対イオンを有しうる。ある実施形態においては、マグネシウムもしくはカルシウムまたはこれらの混合物が使用される。
好適なキレート剤の混合物も好適である。
【００２４】
キレート剤が使用される実施形態においては、キレート剤の量は、ＣＰ組成物の全重量を基準にして、１０重量％以下；または８重量％以下；または６重量％以下である。独立して、ある実施形態においては、金属錯化剤の量は、ＣＰ組成物の全重量を基準にして０．１重量％以上；または０．２重量％以上；または０．５重量％以上である。ある実施形態においては、金属錯化剤の量は、ＣＰ組成物の全重量を基準にして、０．５％〜６％である。
【００２５】
本発明は観賞植物（ｏｒｎａｍｅｎｔａｌ  ｐｌａｎｔｓ）の処理を伴う。本明細書において使用される場合、「観賞植物」は、土壌に根を張り生きている、その美的アピールについて商業的価値を有する植物である。ある観賞植物は、収穫されることができかつ商業的価値を有する農作物（すなわち、１以上の生産物または１以上の植物の部分）を生じさせるので、作物としてのさらなる価値を有する。ある実施形態においては、観賞植物の花、葉、香り、果実、茎、皮またはこれらの組み合わせの１以上の美的アピールのために、１種以上の観賞植物が選択される。
【００２６】
ある実施形態においては、１種以上の観賞植物がその外観に関して選択される。これらのいくつか（本明細書においては「花観賞植物」と称される）は、その花の外観に関して選択される。
【００２７】
ある実施形態においては、観賞植物は以下のものから選択される：アカシア（Ａｃａｃｉａ）、アキレア（Ａｃｈｉｌｌｅａ）、アフリカンボックスウッド（Ａｆｒｉｃａｎ  Ｂｏｘｗｏｏｄ）、アフリカンリリー（Ａｆｒｉｃａｎ  Ｌｉｌｙ）、セントポーリア（Ａｆｒｉｃａｎ  Ｖｉｏｌｅｔ）、アガパンサス（Ａｇａｐａｎｔｈｕｓ）、アゲラタム（Ａｇｅｒａｔｕｍ）、アゲラタムヒューストニム（Ａｇｅｒａｔｕｍ  ｈｏｕｓｔｏｎｉｍ）、ネギ（Ａｌｌｉｕｍ）、アルピナ（Ａｌｐｉｎａ）、アルストロメリア（Ａｌｓｔｒｏｅｍｅｒｉａ）、アマランサスヒポコンドリアクス（Ａｍａｒａｎｔｈｕｓ  ｈｙｐｏｃｈｏｎｄｒｉａｃｕｓ）、アマリリス（Ａｍａｒｙｌｌｉｓ）、ドクゼリモドキ（Ａｍｍｉ  ｍａｊｕｓ）、トリカブト（Ａｎｃｏｎｉｔｕｍ）、アネモネ（Ａｎｅｍｏｎｅ）、アニゴザンサス（Ａｎｉｇｏｚａｎｔｈｕｓ）、ラークスパー（Ａｎｎｕａｌ  Ｄｅｌｐｈｉｎｉｕｍ）、アンスリウム（Ａｎｔｈｕｒｉｕｍ）、キンギョソウ（Ａｎｔｉｒｒｈｉｎｕｍ  ｍａｊｕｓ）、アスパラガス（Ａｓｐａｒａｇｕｓ）、シオン（Ａｓｔｅｒ）、シロクジャク（Ａｓｔｅｒ  ｓｐｐ．）、アスチルベ（Ａｓｔｉｌｂｅ）、ツツジ（Ａｚａｌｅａ）、オノエマンテマ（Ｂａｂｙ’ｓ  Ｂｒｅａｔｈ）、センニチコウ（Ｂａｃｈｅｌｏｒ’ｓ  Ｂｕｔｔｏｎ）、バンクシア（Ｂａｎｋｓｉａ）、ベゴニア（Ｂｅｇｏｎｉａ）、ベルフラワー（Ｂｅｌｌｆｌｏｗｅｒ）、モルセラ（Ｂｅｌｌｓ  ｏｆ  Ｉｒｅｌａｎｄ）、ビッグフラックス（Ｂｉｇ  Ｆｌａｘ）、クラスペディア（Ｂｉｌｌｙ  Ｂｕｔｔｏｎｓ）、リアトリス（Ｂｌａｚｉｎｇ  Ｓｔａｒ）、ケマンソウ（Ｂｌｅｅｄｉｎｇ  Ｈｅａｒｔ）、ボロニア（Ｂｏｒｏｎｉａ）、ブバルディア（Ｂｏｕｖａｒｄｉａ）、ブルーム（Ｂｒｏｏｍ）、ブッドレア（Ｂｕｄｄｌｅｉａ）、ミシマサイコ（Ｂｕｐｌｅｕｒｕｍ）、フサフジウツギ（Ｂｕｔｔｅｒｆｌｙ  Ｂｕｓｈ）、コチョウラン（Ｂｕｔｔｅｒｆｌｙ  Ｏｒｃｈｉｄ）、カリフォルニアペッパーベリー（Ｃａｌｉｆｏｒｎｉａ  Ｐｅｐｐｅｒｂｅｒｒｙ）、カラー（Ｃａｌｌａ  Ｌｉｌｙ）、カンパニュラ（Ｃａｍｐａｎｕｌ）、キャンディタフト（Ｃａｎｄｙｔｕｆｔ）、フウリンソウ（Ｃａｎｔｅｒｂｕｒｙ  Ｂｅｌｌｓ）、カーネーション（Ｃａｒｎａｔｉｏｎ）、カルサムス（Ｃａｒｔｈａｍｕｓ）、カスピア（Ｃａｓｐｉａ）、カトレア（Ｃａｔｔｌｅｙａ）、セロシア（Ｃｅｌｏｓｉａ）、ケイトウ（Ｃｅｌｏｓｉａ  ａｒｇｅｎｔａ）、ヤグルマギク（Ｃｅｎｔａｕｒｅａ  ｃｙａｎｕｓ）、カメラウシウム（Ｃｈａｍｅｌａｕｃｉｕｍ）、チムニーベル（Ｃｈｉｍｎｅｙ  Ｂｅｌｌｓ）、キク（Ｃｈｒｙｓａｎｔｈｅｍｕｍ）、ショクヨウギク（Ｃｈｒｙｓａｎｔｈｅｍｕｍ  ｘ  ｍｏｒｉｆｏｌｉｕｍ）、クラーキア（Ｃｌａｒｋｉａ）、チドリソウ（Ｃｏｎｓｏｌｉｄａ  ａｍｂｉｇｕａ）、スズラン（Ｃｏｎｖａｌｌａｒｉａ）、コーラルベル（Ｃｏｒａｌ  Ｂｅｌｌ）、コルディリネ（Ｃｏｒｄｙｌｉｎｅ）、コレオプシス（Ｃｏｒｅｏｐｓｉｓ）、ヤグルマソウ（Ｃｏｒｎｆｌｏｗｅｒ）、クラスペディア（Ｃｒａｓｐｅｄｉａ）、カーリーウイロー（Ｃｕｒｌｙ  Ｗｉｌｌｏｗ）、シクラメン（Ｃｙｃｌａｍｅｎ）、シンビジウム（Ｃｙｍｂｉｄｉｕｍ）、シンビジウム（Ｃｙｍｂｉｄｉｕｍ  Ｏｒｃｈｉｄ）、ラッパスイセン（Ｄａｆｆｏｄｉｌ）、デイジー（Ｄａｉｓｙ）、デイジーマム（Ｄａｉｓｙ  Ｍｕｍｓ）、ワスレグサ（Ｄａｙｌｉｌｙ）、デルフィニウム（Ｄｅｌｐｈｉｎｉｕｍ）、デンドロビューム（Ｄｅｎｄｒｏｂｉｕｍ）、デンドロビューム（Ｄｅｎｄｒｏｂｉｕｍ  Ｏｒｃｈｉｄ）、ビジョナデシコ（Ｄｉａｎｔｈｕｓ  ｂａｒｂａｔｕｓ）、カーネーション（Ｄｉａｎｔｈｕｓ  ｃａｒｙｏｐｈｙｌｌｕｓ）、ミニチュアカーネーション（Ｄｉａｎｔｈｕｓ  ｃａｒｙｏｐｈｙｌｌｕｓ  ｎａｎａ）、リュウゼツラン（Ｄｒａｇｏｎ’ｓ  Ｔｏｎｇｕｅ）、ドラムスティック（Ｄｒｕｍｓｔｉｃｋ）、エンスージアズム（Ｅｎｔｈｕｓｉａｓｍ）、エリカ（Ｅｒｉｃａ  ｓｐｐ）、トルコギキョウ（Ｅｕｓｔｏｍａ  ｇｒａｎｄｉｆｌｏｒｕｍ）、ヘリコニア（Ｆａｌｓｅ  Ｂｉｒｄ  ｏｆ  Ｐａｒａｄｉｓｅ）、ヒトツバショウマ（Ｆａｌｓｅ  Ｓｐｉｒｅａ）、ゴデチア（Ｆａｒｅｗｅｌｌ−Ｔｏ−Ｓｐｒｉｎｇ）、アンスリウム（Ｆｌａｍｉｎｇｏ  Ｆｌｏｗｅｒ）、アゲラタム（Ｆｌｏｓｓ  Ｆｌｏｗｅｒ）、フリージア（Ｆｒｅｅｓｉａ）、フリージアハイブリッド（Ｆｒｅｅｓｉａ  ｘ  ｈｙｂｒｉｄａ）、（Ｆｕｊｉ  ｏｒ  ｓｐｉｄｅｒ  Ｍｕｍｓ）フジまたはスパーダーキク、リアトリス（Ｇａｙ  Ｆｅａｔｈｅｒ）、ヒトツバエニシダ（Ｇｅｎｉｓｔａ  ｓｐｐ．）、ゼラニウム（Ｇｅｒａｎｉｕｍ）、ガーベラ（Ｇｅｒｂｅｒａ）、ガーベラ（Ｇａｒｂｅｒａ  ｓｐｐ．）、ジンジャー（Ｇｉｎｇｅｒ）、グラジオラス（Ｇｌａｄｉｏｌｕｓ）、グラジオラスハイブリッドナヌス（Ｇｌａｄｉｏｌｕｓ  ｈｙｂｒｉｄ  ｎａｎｕｓ）、ゴーツビアード（Ｇｏａｔ’ｓ  Ｂｅａｒｄ）、ゴデチア（Ｇｏｄｅｔｉａ）、セイタカアワダチソウ（Ｇｏｌｄｅｎ  Ｒｏｄ）、ガーンジーリリー（Ｇｕｅｒｓｎｅｙ  Ｌｉｌｙ）、ギプ（Ｇｙｐ）、シュッコンカスミソウ（Ｇｙｐｓｏｐｈｉｌａ  ｐａｎｉｃｕｌａｔａ）、ヘリコーニア（Ｈａｎｇｉｎｇ  Ｈｅｌｉｃｏｎａ）、ヒース（Ｈｅａｔｈ）、ヘザー（Ｈｅａｔｈｅｒ）、ヒマワリ（Ｈｅｌｉａｎｔｈｕｓ  ａｎｎｕｕｓ）、ヘリコニア（Ｈｅｌｉｃｏｎｉａ  ｓｐｐ．）、ヒッペアストルム（Ｈｉｐｐｅａｓｔｒｕｍ）、ギボウシ（Ｈｏｓｔａ）、アジサイ（Ｈｙｄｒａｎｇｅａ）、イベリスアマラ（Ｉｂｅｒｉｓ  ａｍａｒａ）、インパチェンス（Ｉｍｐａｔｉｅｎｓ）、インカリリー（Ｉｎｃａ  Ｌｉｌｙ）、アイリス（Ｉｒｉｓ）、アイリス（Ｉｒｉｓ  ｓｐｐ．）、アイボリーリリー（Ｉｖｏｒｙ  Ｌｉｌｙ）、カネノナルキ（Ｊａｄｅ  ｐｌａｎｔ）、ジャフェットオーキッド（Ｊａｐｈｅｔｔｅ  Ｏｒｃｈｉｄ）、キズイセン（Ｊｏｎｑｕｉｌ）、カランコエ（Ｋａｌａｎｃｈｏｅ）、カンガルーポー（Ｋａｎｇａｒｏｏ  Ｐａｗ）、ナップウイード（ｎａｐｗｅｅｄ）、ラークスパー（Ｌａｒｋｓｐｕｒ）、スイートピー（Ｌａｔｈｙｒｕｓ  ｏｄｏｒａｔｕｓ）、ラバンデュラ（Ｌａｖａｎｄｕｌａ）、ラベンダー（Ｌａｖｅｎｄｅｒ）、リアトリス（Ｌｉａｔｒｉｓ）、ライラック（Ｌｉｌａｃ）、ユリ（Ｌｉｌｉｕｍ  ｓｐｐ．）、スズラン（Ｌｉｌｌｙ−ｏｆ−ｔｈｅ−Ｖａｌｌｅｙ）、ユリ（Ｌｉｌｙ）、ステルンベルギア（Ｌｉｌｙ  ｏｆ  ｔｈｅ  Ｆｉｅｌｄ）、アガパンサス（Ｌｉｌｙ  ｏｆ  ｔｈｅ  Ｎｉｌｅ）、リモニウム（Ｌｉｍｏｎｉｕｍ）、スターチス（Ｌｉｍｏｎｉｕｍ  ｓｐｐ．）、トルコギキョウ（Ｌｉｓｉａｎｔｈｕｓ）、ロブスタークロウ（Ｌｏｂｓｔｅｒ  Ｃｌａｗ）、ニゲラ（Ｌｏｖｅ  ｉｎ  ｔｈｅ  ｍｉｓｔ）、アマランス（Ｌｏｖｅ−ｌｉｅｓ−ｂｌｅｅｄｉｎｇ）、ストック（Ｍａｔｔｈｏｌｉａ  ｉｎｃａｎａ）、ミモザ（Ｍｅｍｏｓａ）、ミニチュアカーネーション（Ｍｉｎａｔｕｒｅ  Ｃａｒｎａｔｉｏｎ）、ミニカーネーション（Ｍｉｎｉ  Ｃａｒｎａｔｉｏｎ）、ミニチュアグラジオラス（Ｍｉｎｉａｔｕｒｅ  Ｇｌａｄｉｏｌｕｓ）、モルセラ（Ｍｏｌｕｃｃｅｌｌａ  ｌａｅｖｉｓ）、ヨウシュトリカブト（Ｍｏｎｋｓｈｏｏｄ）、サンセベリア（Ｍｏｔｈｅｒ−ｉｎ−ｌａｗ  ｔｏｎｇｕｅ）、ムサ（Ｍｕｓａ）、ヤブコウジ科（Ｍｙｒｓｉｎｅ）、マートル（Ｍｙｒｔｌｅ）、ミルトス（Ｍｙｒｔｕｓ）、スイセン（Ｎａｒｃｉｓｓｕｓ）、ネフロレピス（Ｎｅｐｈｒｏｌｅｐｉｓ）、ネリネ（Ｎｅｒｉｎｅ）、ネリネリリー（Ｎｅｒｉｎｅ  Ｌｉｌｙ）、ニゲラ（Ｎｉｇｅｌｌａ）、ラン（Ｏｒｃｈｉｄ）、アリウム・クリストフィー（Ｏｒｎａｍｅｎｔａｌ  Ｏｎｉｏｎ）、オーニソガラム（Ｏｒｎｉｔｈｏｇａｌｕｍ）、ボタン（Ｐａｅｏｎｉａ）、ペインテッドトング（Ｐａｉｎｔｅｄ  Ｔｏｎｇｕｅ）、ボタン（Ｐｅｏｎｙ）、ユリズイセン（Ｐｅｒｕｖｉａｎ  ｌｉｌｙ）、ペチュニア（Ｐｅｔｕｎｉａ）、コチョウラン（Ｐｈａｌａｅｎｏｐｓｉｓ）、フィロデンドロン（Ｐｈｉｌｏｄｅｎｄｒｏｎ）、フロックス（Ｐｈｌｏｘ）、スカビオサ（Ｐｉｎｃｕｓｈｉｏｎ  Ｆｌｏｗｅｒ）、ピット（Ｐｉｔｔ）、ピットスポラム（Ｐｉｔｔｏｓｐｏｒｕｍ）、ピクシーカーネーション（Ｐｉｘｉｅ  Ｃａｒｎａｔｉｏｎ）、ポインセチア（Ｐｏｉｎｔｓｅｔｔｉａ）、チューベローズ（Ｐｏｌｉａｎｔｈｅｓ  ｔｕｂｅｒｏｓａ）、ポンポンキク（Ｐｏｍｐｏｎ  Ｃｈｒｙｓａｎｔｈｅｍｕｍ）、アネモネ（Ｐｏｐｐｙ  Ａｎｅｍｏｎｅ）、ポリウム（Ｐｏｒｉｕｍ）、プロテア（Ｐｒｏｔｅａ  ｓｐｐ．）、エキナセア（Ｐｕｒｐｌｅ  Ｃｏｎｅｆｌｏｗｅｒ）、ネコヤナギ（Ｐｕｓｓｙ  Ｗｉｌｌｏｗ）、クイーンアンズレース（Ｑｕｅｅｎ  Ａｎｎ’ｓ  Ｌａｃｅ）、ラナンキュラス（Ｒａｎｕｎｃｕｌｕｓ）、ラットルスネーク（Ｒａｔｔｌｅｓｎａｋｅ）、レッドリボン（Ｒｅｄ  Ｒｉｂｂｏｎｓ）、バラ（Ｒｏｓａ  ｓｐｐ．）、バラ（Ｒｏｓｅ）、ルドベキア（Ｒｕｄｂｅｃｋｉａ）、ベニバナ（Ｓａｆｆｌｏｗｅｒ）、サリクス（Ｓａｌｉｘ）、サルビア（Ｓａｌｖｉａ）、サンセベリア（Ｓａｎｓｅｖｉｅｒｉａ）、サテンフラワー（Ｓａｔｉｎ  Ｆｌｏｗｅｒｓ）、スカビオサ（Ｓｃａｂｉｏｓａ）、シヌス（Ｓｃｈｉｎｕｓ）、イソマツ（Ｓｅａ  ｌａｖｅｎｄｅｒ）、セダム（Ｓｅｄｕｍ）、シェルフラワー（Ｓｈｅｌｌ  Ｆｌｏｗｅｒｓ）、スネークプラント（Ｓｎａｋｅ  Ｐｌａｎｔ）、キンギョソウ（Ｓｎａｐｄｒａｇｏｎ）、ソリダゴ（Ｓｏｌｉｄａｇｏ）、ソリダス���ー（Ｓｏｌｉｄａｓｔｅｒ  ｓｐｐ．）、クワガタソウ（Ｓｐｅｅｄｗｅｌｌ）、スパイダーリリー（Ｓｐｉｄｅｒ  Ｌｉｌｙ）、スパーダーマム（Ｓｐｉｄｅｒ  Ｍｕｍｓ）、スプレーカーネーション（Ｓｐｒａｙ  Ｃａｒｎａｔｉｏｎ）、オオアマナ（Ｓｔａｒ  ｏｆ  Ｂｅｔｈｌｅｈｅｍ）、イソマツ（Ｓｔａｔｉｃｅ）、ステンアメゾン（Ｓｔｅｎａｍｅｚｏｎ）、ストック（Ｓｔｏｃｋ）、サマーズダーリン（Ｓｕｍｍｅｒ’ｓ  Ｄａｒｌｉｎｇ）、サンフラワー（Ｓｕｎｆｌｏｗｅｒ）、スイートピー（Ｓｗｅｅｔ  Ｐｅａ）、アメリカナデシコ（Ｓｗｅｅｔ  Ｗｉｌｌｉａｍ）、タマシダ（Ｓｗｏｒｄ  Ｆｅｒｎ）、ライラック（Ｓｙｒｉｎｇａ  ｖｕｌｇａｒｉｓ）、テイルフラワー（Ｔａｉｌｆｌｏｗｅｒｓ）、エフデギク（Ｔａｓｓｅｌ  ｆｌｏｗｅｒ）、ブプレウルム（Ｔｈｏｕｒｏｕｇｈｗａｘ）、ユウギリソウ（Ｔｈｒｏａｔｗｏｒｔ）、トラケリウム（Ｔｒａｃｈｅｌｉｕｍ）、モクセイシダ（Ｔｒｅｅ  Ｆｅｒｎ）、テッポウユリ（Ｔｒｕｍｐｅｔ  Ｌｉｌｙ）、チュベローズ（Ｔｕｂｅｒｏｓｅ）、チューリップ（Ｔｕｌｉｐ）、チューリップ（Ｔｕｌｉｐａ）、ベロニカ（Ｖｅｒｏｎｉｃａ）、ワトル（Ｗａｔｔｌｅ）、ワックスフラワー（Ｗａｘｆｌｏｗｅｒ）、ワイルドプランテーン （Ｗｉｌｄ  Ｐｌａｎｔａｉｎ）、ワイルドフラワー（Ｗｉｌｄｆｌｏｗｅｒ）、ウルフスベーン（Ｗｏｌｆｓｂａｎｅ）、ヒャクニチソウ（Ｙｏｕｔｈ  ａｎｄ  Ｏｌｄ  Ａｇｅ）、オランダカイウ（Ｚａｎｔｅｄｅｓｃｈｉａ）、ジニア（Ｚｉｎｎａ）、ヒャクニチソウ（Ｚｉｎｎｉａ  ｅｌｅｇａｎｓ）、シャコバサボテン（Ｚｙｇｏｃａｃｔｕｓ）およびこれらの混合。
【００２８】
ある実施形態においては、本発明の実施において処理される植物には、その処理の時点で開花している１種以上の花観賞植物が挙げられる。このような実施形態のいくつかにおいては、花の寿命が延ばされるか、または植物の活力が高められるか、またはその両方である。活力の向上が起こる場合には、それは処理の直後に起こることができ、またはそれは後に、場合によっては、花が植物から落ちた後で、および／または場合によっては４週間後に、観察されることができる。
【００２９】
本発明の実施において、植物は、生長培地に根を張る時に処理される。成長培地は天然、人工、またはこれらの組み合わせであってよい。好適な成長培地には、例えば、土壌、人工成長培地、およびこれらの混合物が挙げられる。人工成長培地は、有機成分、または鉱物成分、またはその両方を含むことができる。人工成長培地は固体または液体（すなわち、水耕成長培地）、またはその組み合わせであることができる。ある好適な成長培地には、例えば、コンポスト（例えば、堆肥にされた庭ゴミ）、ピートモス、松樹皮、パーライト、砂、バーミキュライト、コイア、ロックウール、発泡体、またはこれらの組み合わせが挙げられる。ある実施形態においては、成長培地は土壌である。
【００３０】
本発明の実施においては、観賞植物はあらゆる場所で処理されうる。ある実施形態においては、観賞植物は建物外または閉鎖環境外で処理される。別の実施形態においては、観賞植物は閉鎖環境内、例えば、温室、別の建物、輸送用容器、またはトラック内で処理される。
【００３１】
独立して、観賞植物が根付く成長培地が任意の構成であっても、観賞植物は処理されうる。ある実施形態においては、成長培地は地面にあり、例えば、水平な地面、または起立した床に、またはこれらの組み合わせにある。ある実施形態においては、成長培地は、容器内に、例えば、植木鉢、薄い箱（ｆｌａｔ）、別の何らかの容器、またはこの組み合わせ内にある。ある実施形態においては、各容器内の成長培地は８０ｃｍ以下の深さを有する。ある実施形態においては、各容器内の成長培地は５０ｃｍ以下、または２５ｃｍ以下、または１５ｃｍ以下の深さを有する。ある実施形態においては、成長培地は容器が必要ないくらい充分に固い。このような固い成長培地には、例えば、発泡体（例えば、Ｏａｓｉｓ商標成長培地など）、またはロックウールまたはこれらの組み合わせが挙げられる。
【００３２】
固い成長培地の品物の形態の成長培地、または植木鉢または薄い箱内にある成長培地に根付いた観賞植物は持ち運び可能であることが意図される。通常、このような植木鉢、薄い箱、または固い成長培地の品物は、個々の人によって、持ち上げられ、運ばれることができる。
【００３３】
ある実施形態においては、本発明の実施において処理される植物には、薄い箱または植木鉢において処理され、その後で消費者によって地面の土壌に植えられる、花壇植え植物（ｆｌｏｗｅｒｉｎｇ  ｂｅｄｄｉｎｇ  ｐｌａｎｔｓ）の１種以上が挙げられる。ある実施形態においては、本発明の実施において処理される植物には、その葉の外観に通常価値がありその花には価値がない植物である、観葉植物の１種以上が挙げられる。ある実施形態においては、本発明の実施において処理される植物には、処理されるときに植木鉢にあり、かつ消費者によって購入された後でも、通常、植木鉢内に留められる、顕花鉢物植物（ｆｌｏｗｅｒｉｎｇ  ｐｏｔ  ｐｌａｎｔｓ）の１種以上が挙げられる。ある実施形態においては、本発明の実施において処理される植物には、植木鉢または薄い箱内で処理され、その後消費者によって地面に植えられる、作物苗（ｎｕｒｓｅｒｙ  ｃｒｏｐｓ）、例えば、一年生植物、二年生植物および多年生植物などが挙げられる。ある実施形態においては、本発明の実施において処理される植物には、芝草が挙げられる。ある実施形態においては、本発明の実施において処理される植物には、１種以上の花壇植え植物、１種以上の観葉植物、１種以上の顕花鉢物植物、１種以上の作物苗、芝草、またはこれらの組み合わせが挙げられる。
【００３４】
本明細書においては、組成物が、１気圧の圧力で１０℃〜３０℃の温度範囲にわたって液体状態である場合には、その組成物は液体であると見なされる。
【００３５】
本明細書においては、組成物が、その組成物の重量を基準にして５０重量％以上の水を含む場合には、その組成物は「水性」であると見なされる。
【００３６】
本発明の実施は、液体ＣＰ組成物の使用を伴う。ある実施形態においては、その液体ＣＰ組成物は水性組成物である。ある実施形態においては、その液体ＣＰ組成物は、その液体ＣＰ組成物の重量を基準にして、７５重量％以上、または８５重量％以上、または９０重量％以上、または９５重量％以上の量の水を含む。
【００３７】
本明細書において使用される場合、語句「の量のシクロプロペン化合物」とは、２種以上のシクロプロペン化合物が存在する場合には、全てのシクロプロペン化合物の合計がその量で存在することを意味すると見なされる。
【００３８】
液体ＣＰ組成物は、液体ＣＰ組成物１リットルあたりシクロプロペン０．３〜３００ミリグラムの量のシクロプロペン化合物を含む。ある実施形態においては、液体ＣＰ組成物は、０．５以上；または１以上；または２以上；または５以上；または１０以上（液体ＣＰ組成物１リットルあたりのシクロプロペンのミリグラム数）の量のシクロプロペン化合物を含む。独立して、ある実施形態においては、液体ＣＰ組成物は、２５０以下；または２００以下；または１５０以下；または１００以下；または９０以下；または５０以下（液体ＣＰ組成物１リットルあたりのシクロプロペンのミリグラム数）の量のシクロプロペン化合物を含む。ある実施形態においては、液体ＣＰ組成物は、液体ＣＰ組成物１リットルあたりシクロプロペン５〜５０ミリグラムの量のシクロプロペン化合物を含む。
【００３９】
ある実施形態においては、水性液体ＣＰ組成物中の水以外の成分は水全体に分布している。水以外の各成分は、他の成分から独立して、水中に溶解されることができ、または水中に分散されることができ、または水中に乳化されることができ、またはこれらの組み合わせであることができる。
【００４０】
場合によっては、ＣＰ組成物中に、１種以上のアジュバント、例えば、エキステンダー、顔料、充填剤、バインダー、可塑剤、滑剤、界面活性剤、湿潤剤、展着剤、分散剤、固着剤（Ｓｔｉｃｋｅｒｓ）、接着剤、消泡剤、増粘剤、輸送剤（ｔｒａｎｓｐｏｒｔ  ａｇｅｎｔｓ）、および乳化剤などを含むのが望まれる。
【００４１】
独立して、ある実施形態においては、ＣＰ組成物は１種以上のアルキルアルコールを含む。ある実施形態においては、ＣＰ組成物はアルキル基が６以下の炭素原子、または３以下の炭素原子を有するアルキルアルコールの１種以上を含む。
【００４２】
ある実施形態においては、１種以上の界面活性剤が使用される。好適な界面活性剤には、例えば、アニオン性界面活性剤、カチオン性界面活性剤、非イオン性界面活性剤、両性界面活性剤、およびこれらの混合物が挙げられる。ある実施形態においては、１種以上の非イオン性界面活性剤が使用される。いくつかの好適な非イオン性界面活性剤は、例えば、アルキルフェノキシエトキシラート、およびシリコーン界面活性剤である。ある実施形態においては、シリコーン界面活性剤が使用される。ある実施形態においては、トリシロキサンアルコキシラートが使用される。ある好適なトリシロキサンアルコキシラートは、例えば、ポリ（オキシ−１，２−エタンジイル）、アルファ−メチル−オメガ−（３−（１，３，３，３−テトラメチル−１−（（トリメチルシリル）オキシ）−１−ジシロキサニル）プロピル）（登録番号２７３０６−７８−１）、ＧＥシリコーンからＳｉｌｗｅｔ商標Ｌ−７７として入手可能がある。好適な界面活性剤の混合物も好適である。
【００４３】
界面活性剤を使用する実施形態の中では、いくつかの実施形態は、液体ＣＰ組成物の全重量を基準にして、０．００５重量％以上；または０．０１重量％以上の量の界面活性剤を使用する。独立して、界面活性剤を使用する実施形態の中では、いくつかの実施形態は、液体ＣＰ組成物の全重量を基準にして、１重量％以下；または０．３重量％以下；または０．１重量％以下の量の界面活性剤を使用する。ある実施形態においては、液体ＣＰ組成物の全重量を基準にして０．０１重量％〜０．１重量％の量で界面活性剤が使用される。
【００４４】
本発明の実施において、液体ＣＰ組成物は植物と接触させられる。この接触は、例えば、噴霧、浸漬、霧化、またはこれらの組み合わせをはじめとするあらゆる方法によって行われることができる。ある実施形態においては、噴霧が使用される。
【００４５】
使用される液体ＣＰ組成物の量は、液体ＣＰ組成物のミリリットル単位での体積を、この液体ＣＰ組成物が適用される平方メートル単位での面積で割った値として特徴づけられ得る。液体ＣＰ組成物が接触させられる植物が植木鉢、または薄い箱、または他の容器内にある場合には、使用される液体ＣＰ組成物の量を計算するのに使用される面積は、複数容器間の何もない空間を含んで、その容器を取り囲む外周によって形成される形状の総面積である。
【００４６】
ある実施形態においては、使用される液体ＣＰ組成物の量は、２０ｍｌ／ｍ２以上；または５０ｍｌ／ｍ２以上；または１００ｍｌ／ｍ２以上である。独立して、ある実施形態においては、使用される液体ＣＰ組成物の量は、２０００ｍｌ／ｍ２以下；または１０００ｍｌ／ｍ２以下；または５００ｍｌ／ｍ２以下である。ある実施形態においては、使用される液体ＣＰ組成物の量は１００ｍｌ／ｍ２〜５００ｍｌ／ｍ２である。
【００４７】
本明細書および特許請求の範囲の目的のために、本明細書において開示されるそれぞれの操作は、他に特定されない限りは２５℃で行われるものと理解される。
【実施例】
【００４８】
（他に示されない限りは）、３．８％の活性成分である１−ＭＣＰを含み、並びにデキストロース、アルファ−シクロデキストリン、およびアミノ酸塩も含むＡＦｘＲＤ−０３８粉体を使用して噴霧適用がなされた。示された比率は活性成分についてのものであり、例えば、１リットルあたり５ｍｇの活性成分である。噴霧された液体は、（他に示されない限りは）、水に添加されたＡＦｘＲＤ−０３８を含んでいた。ＡＦｘＲＤ−０３８粉体はアグロフレッシュインコーポレーテッド（ＡｇｒｏＦｒｅｓｈ  Ｉｎｃ．）から得られた。使用された水は、（他に示されない限りは）、水道水であった。適用は５００ｍｌの噴霧ボトルにおいて、観賞植物産業において成長調節剤の適用に典型的な割合で、すなわち２００ｍｌ／ｍ２で行われた。噴霧は、配合物の混合の５〜１５分以内に行われた。植物は、エチレンに曝露（２ｐｐｍで周囲温度で約１６時間）される前に、１〜４時間乾燥させられた。
【００４９】
「周囲温度」とは本明細書においては１５℃〜２８℃を意味する。
界面活性剤Ｓｉｌｗｅｔ商標Ｌ−７７（以下「界面活性剤」と称する）が、場合によって含まれ、効力に対する界面活性剤の影響を評価した。Ｓｉｌｗｅｔ商標Ｌ−７７は純粋な液体の形態で使用された。以下に示される「ｍｌ／Ｌ」としての量は純粋なＳｉｌｗｅｔ商標Ｌ−７７のミリリットル／液体ＣＰ組成物のリットルを意味する。
【００５０】
試験される植物は花壇用植物（すなわち、６パックトレイ内で成長した顕花植物）または顕花鉢物植物を含んでいた。以下のそれぞれの実施例において複数の同種の植物が試験された。測定値には小文字（例えば、「ａ」または「ａｂ」）が付けられ、これらの文字は結果についての統計学的分析の結果を示す。例えば、実施例６における「９日目」の結果においては、０ｍｇ／Ｌの１−ＭＣＰでの結果（文字「ａ」）は５および１０ｍｇ／Ｌでの結果（文字「ｂ、ｃ、ｄおよび／またはｅ」、文字「ａ」ではない）と統計学的に異なる。
【００５１】
実施例１
１−ＭＣＰ溶液で噴霧され、エチレンに曝露されたインパチェンス（品種不明、直径１０ｃｍ（４インチ）の植木鉢内）およびシクラメン植物（品種不明、直径１１．５ｃｍ（４．５インチ）の植木鉢内）の、見た目の外観および花またはつぼみの器官脱離。
【００５２】
【表１】
2011045363.tif 000003
注１：０＝劣悪；５＝優秀
注２：１＝劣悪；５＝優秀
３００ｍｇ／Ｌでの処理はインパチェンスに対して植物毒性を生じさせた。
【００５３】
実施例２
カランコエ（品種不明）、「キャンディストライプ」フロックスおよび「ソネット」キンギョソウ（全ては直径１０ｃｍ（４インチ）の植木鉢内）が、Ｓｉｌｗｅｔ商標Ｌ−７７界面活性剤（比重１．００７）を含むかまたは含まない１−ＭＣＰ溶液で噴霧され、エチレンに曝露された。
カランコエについては、発明者は、枯れた花が植物上に留まっているかどうかにかかわらず、１以上の花がしおれて枯れた植物のパーセントを観察した。フロックスおよびキンギョソウについては、発明者は、１以上の花または１以上のつぼみが器官脱離を受けた植物のパーセントを観察した。
【００５４】
【表２】
2011045363.tif 000004
【００５５】
５ｍｇ／Ｌの１−ＭＣＰの割合は、エチレンに対する保護をもたらすのに充分であった。５０ｍｇ／Ｌの１−ＭＣＰの割合は、カランコエまたはキンギョソウの花には何ら植物毒性を生じさせなかったが、フロックスおよびキンギョソウに対して最も高い割合で、開花した小花（ｏｐｅｎ  ｆｌｏｒｅｔｓ）に対して植物毒性を生じさせた。
【００５６】
実施例３
界面活性剤を含まない１−ＭＣＰ溶液で噴霧され、エチレンに曝露されたカンパニュラ（植木鉢内）のつぼみのしおれおよび花の器官脱離（％）。発明者は、１以上のつぼみまたは１以上の花が、しおれまたは器官脱離またはその両方を受けた植物のパーセントを観察した。
【００５７】
【表３】
2011045363.tif 000005
【００５８】
０ｍｇ／Ｌの１−ＭＣＰにおいては、１日目と比較して７日目でのつぼみの器官脱離がより低いパーセンテージである理由は、つぼみの再成長である。
【００５９】
実施例４
界面活性剤（Ｓｉｌｗｅｔ商標Ｌ−７７）を含むかまたは含まない１−ＭＣＰ溶液で噴霧し、エチレンに曝露された、リーガルゼラニウム（Ｒｅｇａｌ  Ｇｅｒａｎｉｕｍ）品種である「キャメロット（Ｃａｍｅｌｏｔ）」および「ジュエル（Ｊｅｗｅｌ）」における花の損失（％）。
【００６０】
【表４】
2011045363.tif 000006
注３：植物毒性が観察された
【００６１】
実施例５
０．２５ｍＬ／ＬのＳｉｌｗｅｔ商標Ｌ−７７界面活性剤を含む１−ＭＣＰ溶液で噴霧され、エチレンに曝露された、「マゼンタ」インパチェンス（植木鉢内）のつぼみのしおれおよび花の器官脱離（すなわち、つぼみのしおれまたは花の器官脱離またはその両方を示した植物の％）。
【００６２】
【表５】
2011045363.tif 000007
【００６３】
「マゼンタ」インパチェンスにおいては、Ｓｉｌｗｅｔ商標Ｌ−７７を含む、最も高い割合でさえ植物毒性は観察されなかった。
【００６４】
実施例６
Ｓｉｌｗｅｔ商標Ｌ−７７を含むかまたは含まない１−ＭＣＰ溶液で噴霧され、エチレンに曝露されたペチュニア（６パックトレイ内）のつぼみのしおれ。
【表６】
2011045363.tif 000008
【００６５】
実施例７
Ｓｉｌｗｅｔ商標Ｌ−７７を含むかまたは含まない１−ＭＣＰ溶液で噴霧され、エチレンに曝露された「ハーク」コチョウラン（植木鉢内）の花のしおれ、つぼみのしおれおよび落下の１以上を示す植物のパーセント。
【００６６】
【表７】
2011045363.tif 000009
【００６７】
１−ＭＣＰ噴霧は、コチョウラン植物の閉じたおよび開いたつぼみの両方を保護した。
【００６８】
実施例８：開花植物のラック
花のラックが２５ｍｇ／Ｌを含む噴霧液体で、２００ｍｌ／平方メートルの割合で噴霧された。ラックは、次いで、完全に密封されたトラック（長さ７．３メートル）内に１４時間置かれた。次いで、植物がエチレンに曝露され、０（劣悪）〜２（良好）の評価スケールを用いて３および７日後に評価された。対照の植物は、前記噴霧を受けなかったことを除いて同じように処理された。結果は以下の通りであった。
【００６９】
【表８】
2011045363.tif 000010
【００７０】
いずれの場合においても、噴霧された植物が、対応する対照の植物よりも統計学的に有意な程度に悪くならなかった。ほとんどの場合では、噴霧された植物は、対応する対照の植物よりも良好であった。全ての種類において、噴霧された植物が、３日目または７日目、またはその両方において対照の植物よりも良好であったことが示された。
【００７１】
実施例９：低濃度噴霧後の貯蔵寿命
噴霧液体は、蒸留水中のＥｔｈｙｌＢｌｏｃ商標粉体（０．１４重量％の１−ＭＣＰと、アルファ−シクロデキストリンと、デキストロースとを含んでおり、Ｆｌｏｒａｌｉｆｅ  Ｉｎｃ．から入手可能）であった。噴霧されたおよび噴霧されていない対照の植物の貯蔵寿命が観察され、次の結果を得た：
【００７２】
【表９】
2011045363.tif 000011
【００７３】
実施例１０：植物苗
多くの場合輸送中に品質の問題を示す、ダチュラ（Ｄａｔｕｒａ）（トロピカル）、ミニバラ、デルフィニウム（サンペレニアル；ｓｕｎ  ｐｅｒｅｎｎｉａｌ）、バーベナ（Ｖｅｒｂｅｎａ）（サンペレニアル）、アスクレピアス（Ａｓｃｌｅｐｉａｓ）（サンペレニアル）、デロスペルマ（Ｄｅｌｏｓｐｅｒｍａ）（グラウンドカバー；ｇｒｏｕｎｄｃｏｖｅｒ）、ミオソティス（Ｍｙｏｓｏｔｉｓ）（シェードペレニアル；ｓｈａｄｅ  ｐｅｒｅｎｎｉａｌ）およびプリムラ（シェードペレニアル）をはじめとする様々な植物苗が選択された。
噴霧液体は５０ｍｇ／Ｌの１−ＭＣＰを有していた。噴霧されたおよび噴霧されていない対照の植物は、その全てが開花させられ、標準的な手順に従って箱に入れられ、商業的な条件下で運ばれた。５日後、植物は箱から出され、０（劣悪）〜２（良好）の品質の評価をした。結果は以下に示された：
【００７４】
【表１０】
2011045363.tif 000012
【００７５】
上記観察の後で、植物は温室に４週間おかれ再び評価された。噴霧された植物は典型的により大きく、より緑色で、かつより健康であった。
【外国語明細書】
2011045363000001.pdf
2011045363000002.pdf
2011045363000003.pdf